(57)【要約】【課題】録画予約時に容易に放送番組のタイトルを設定することができる録画予約装置を提供する。【解決手段】放送番組の録画予約の情報である録画予約情報を受け付ける録画予約受付部１１と、録画予約の対象である放送番組を識別する番組識別情報を、放送番組のタイトルを管理しているタイトルサーバ装置３０に送信する識別情報送信部１２と、識別情報送信部１２が送信した番組識別情報に対して、タイトルサーバ装置３０から送信されたタイトルを受信するタイトル受信部１３と、タイトル受信部１３が受信したタイトルに対応付けて、録画予約情報に基づいた録画予約を行う録画予約部１８とを備える。【選択図】図１
2005094117.tif 000002
【特許請求の範囲】
【請求項１】
放送番組の録画予約の情報である録画予約情報を受け付ける録画予約受付部と、
前記録画予約情報による録画予約の対象である放送番組を識別する番組識別情報を、放送番組のタイトルを管理しているタイトルサーバ装置に送信する識別情報送信部と、
前記識別情報送信部が送信した番組識別情報に対して、前記タイトルサーバ装置から送信されたタイトルを受信するタイトル受信部と、
前記タイトル受信部が受信したタイトルに対応付けて、前記録画予約情報に基づいた録画予約を行う録画予約部と、を備えた録画予約装置。
【請求項２】
前記録画予約受付部が受け付けた前記録画予約情報による録画予約の対象である放送番組のタイトルの入力を受け付けるタイトル受付部と、
前記タイトル受付部が受け付けたタイトルを前記タイトルサーバ装置に送信するタイトル送信部と、をさらに備えた請求項１記載の録画予約装置。
【請求項３】
前記タイトル送信部は、前記タイトルに対応付けてユーザを識別するユーザ識別情報を前記タイトルサーバ装置に送信する、請求項２記載の録画予約装置。
【請求項４】
前記タイトル受信部は、前記タイトルサーバ装置から２以上のタイトルを受信するものであり、
前記タイトル受信部が受信した２以上のタイトルを表示する表示部と、
前記表示部が表示した２以上のタイトルに対して、いずれか１つのタイトルの選択を受け付ける選択受付部と、をさらに備え、
前記録画予約部は、前記タイトル受信部が受信した２以上のタイトルのうち、前記選択受付部が受け付けた選択の示す１つのタイトルに対応付けて、前記録画予約情報に基づいた録画予約を行う、請求項１から３のいずれか記載の録画予約装置。
【請求項５】
前記タイトル受信部は、ポイントの対応付けられた２以上のタイトルを受信するものであり、
前記タイトル受信部が受信した２以上のタイトルを、前記ポイントに基づいて並べ替える並べ替え部をさらに備え、
前記表示部は、前記並べ替え部が並べ替えた２以上のタイトルを表示する、請求項４記載の録画予約装置。
【請求項６】
前記選択受付部がいずれのタイトルの選択を受け付けたのかを示す情報である選択情報を、前記タイトルサーバ装置に送信する選択送信部をさらに備えた、請求項４または５記載の録画予約装置。
【請求項７】
前記タイトル受信部は、ポイントの対応付けられた２以上のタイトルを受信するものであり、
前記タイトル受信部が受信した２以上のタイトルから、前記ポイントに基づいて１つのタイトルを選択するタイトル選択部をさらに備え、
前記録画予約部は、前記タイトル選択部が選択したタイトルに対応付けて、前記録画予約情報に基づいた録画予約を行う、請求項１または２記載の録画予約装置。
【請求項８】
放送番組のタイトルと、当該放送番組を識別する番組識別情報とを対応付けて有している情報であるタイトル情報を記憶している記憶部と、
前記番組識別情報を受信する識別情報受信部と、
前記識別情報受信部が受信した番組識別情報に対応するタイトルを前記記憶部から取得する取得部と、
前記取得部が取得したタイトルを送信するタイトル送信部と、を備えたタイトルサーバ装置。
【請求項９】
タイトルを受信するタイトル受信部と、
前記タイトル受信部が受信したタイトルを、当該タイトルに対応した番組識別情報に対応付けて前記記憶部に蓄積するタイトル蓄積部と、をさらに備えた請求項８記載のタイトルサーバ装置。
【請求項１０】
前記タイトル受信部は、ユーザを識別するユーザ識別情報の対応付けられたタイトルを受信するものであり、
前記タイトル蓄積部は、前記ユーザ識別情報を、前記タイトル受信部が受信したタイトルに対応付けて前記記憶部に蓄積する、請求項９いずれか記載のタイトルサーバ装置。
【請求項１１】
前記タイトル情報は、１つの番組識別情報に２以上のタイトルを対応付けて有しており、前記取得部は、前記識別情報受信部が受信した番組識別情報に対応する２以上のタイトルを前記記憶部から取得する、請求項８から１０のいずれか記載のタイトルサーバ装置。
【請求項１２】
前記タイトル情報が有する各タイトルにはポイントが対応付けられており、
前記タイトル送信部が送信した２以上のタイトルのうち、いずれのタイトルが選択されたかを示す選択情報を受信する選択受信部と、
前記選択受信部が受信した選択情報に基づいて、前記ポイントを管理するポイント管理部と、をさらに備えた請求項１１記載のタイトルサーバ装置。
【請求項１３】
タイトルを、前記ポイントに基づいて並べ替える並べ替え部をさらに備え、
前記タイトル送信部は、前記並べ替え部が並べ替えた２以上のタイトルを送信する、請求項１２記載のタイトルサーバ装置。
【請求項１４】
前記並べ替え部は、前記取得部が取得したタイトルを並べ替える、請求項１３記載のタイトルサーバ装置。
【請求項１５】
前記取得部が取得した２以上のタイトルから、前記ポイントに基づいて１つのタイトルを選択するタイトル選択部をさらに備え、
前記タイトル送信部は、前記タイトル選択部が選択した１つのタイトルを送信する、請求項１２記載のタイトルサーバ装置。
【請求項１６】
前記取得部は、前記識別情報受信部が受信した番組識別情報によって識別される放送番組が、グループ化された放送番組である場合には、当該グループ内の番組識別情報に対応するタイトルを取得する、請求項８から１５いずれか記載のタイトルサーバ装置。
【請求項１７】
コンピュータに、
放送番組の録画予約の情報である録画予約情報を受け付ける録画予約受付ステップと、
前記録画予約情報による録画予約の対象である放送番組を識別する番組識別情報を、放送番組のタイトルを管理しているタイトルサーバ装置に送信する識別情報送信ステップと、前記識別情報送信ステップで送信した番組識別情報に対して、前記タイトルサーバ装置から送信されたタイトルを受信するタイトル受信ステップと、
前記タイトル受信ステップで受信したタイトルに対応付けて、前記録画予約情報に基づいた録画予約を行う録画予約ステップと、を実行させるためのプログラム。
【請求項１８】
コンピュータに、
番組識別情報を受信する識別情報受信ステップと、
前記識別情報受信ステップで受信した番組識別情報に対応するタイトルを、放送番組のタイトルと、当該放送番組を識別する番組識別情報とを対応付けて有している情報であるタイトル情報を記憶している記憶部から取得する取得ステップと、
前記取得ステップで取得したタイトルを送信するタイトル送信ステップと、を実行させるためのプログラム。
【発明の詳細な説明】
【技術分野】
【０００１】
本発明は、放送番組の録画予約の情報である録画予約情報に基づいた録画予約を行う録画予約装置等に関する。
【背景技術】
【０００２】
放送番組のビデオテープへの録画時に、放送番組のデータに先立って、ビデオテープ上にその放送番組のタイトル等を記録しておく技術が知られている（例えば、特許文献１参照）。
【特許文献１】特開平９−１７２５９７号公報（第３頁−第５頁、第１図等）
【発明の開示】
【発明が解決しようとする課題】
【０００３】
上記特許文献１のように、タイトルの情報が放送される場合はそれを用いることができるが、そうでない場合にタイトルを記録しておくためには、放送番組を録画するたびにタイトルを入力しなければならず、ユーザに煩雑な作業を課すことになってしまう。
【０００４】
本発明は、上記問題点を解決するためになされたものであり、録画予約時に容易に放送番組のタイトルを設定することができる録画予約装置等を提供することを目的とする。
【課題を解決するための手段】
【０００５】
上記目的を達成するため、本発明による録画予約装置は、放送番組の録画予約の情報である録画予約情報を受け付ける録画予約受付部と、前記録画予約情報による録画予約の対象である放送番組を識別する番組識別情報を、放送番組のタイトルを管理しているタイトルサーバ装置に送信する識別情報送信部と、前記識別情報送信部が送信した番組識別情報に対して、前記タイトルサーバ装置から送信されたタイトルを受信するタイトル受信部と、前記タイトル受信部が受信したタイトルに対応付けて、前記録画予約情報に基づいた録画予約を行う録画予約部と、を備えたものである。
【０００６】
このように構成された本発明によれば、録画予約の対象である放送番組のタイトルをタイトルサーバ装置から受け取ることができ、タイトルサーバ装置でタイトルが記憶されている場合には、タイトルの入力を省略することができる。
【０００７】
また、本発明による録画予約装置では、前記録画予約受付部が受け付けた前記録画予約情報による録画予約の対象である放送番組のタイトルの入力を受け付けるタイトル受付部と、前記タイトル受付部が受け付けたタイトルを前記タイトルサーバ装置に送信するタイトル送信部と、をさらに備えてもよい。
【０００８】
このように構成された本発明によれば、録画予約の対象となる放送番組に対応したタイトルがタイトルサーバ装置で記憶されていなかった場合や、ユーザがその記憶されているタイトルを気に入らなかった場合などに、ユーザが入力したタイトルをタイトルサーバ装置にアップロードすることができ、その後に同一の放送番組を録画予約するユーザは、そのアップロードされたタイトルを用いることができる。
【０００９】
また、本発明による録画予約装置では、前記タイトル送信部が、前記タイトルに対応付けてユーザを識別するユーザ識別情報を前記タイトルサーバ装置に送信してもよい。
【００１０】
このように構成された本発明によれば、タイトルサーバ装置において、ユーザ識別情報に対応付けてタイトルを記憶することができる。そして、例えば、そのタイトルが他のユ
ーザに利用されることによりポイントを加算するような場合には、ユーザ識別情報を用いてユーザごとにポイントを集計することができる。その結果、例えば、集計されたポイントの高いユーザに対して褒賞を付与することなどにより、ユーザがタイトルをタイトルサーバ装置に送信することに対するインセンティブを与えることができる。
【００１１】
また、本発明による録画予約装置では、前記タイトル受信部が、前記タイトルサーバ装置から２以上のタイトルを受信するものであり、前記タイトル受信部が受信した２以上のタイトルを表示する表示部と、前記表示部が表示した２以上のタイトルに対して、いずれか１つのタイトルの選択を受け付ける選択受付部と、をさらに備え、前記録画予約部が、前記タイトル受信部が受信した２以上のタイトルのうち、前記選択受付部が受け付けた選択の示す１つのタイトルに対応付けて、前記録画予約情報に基づいた録画予約を行ってもよい。
【００１２】
このように構成された本発明によれば、ユーザは、２以上のタイトルから所望のタイトルを選択することができる。
【００１３】
また、本発明による録画予約装置では、前記タイトル受信部が、ポイントの対応付けられた２以上のタイトルを受信するものであり、前記タイトル受信部が受信した２以上のタイトルを、前記ポイントに基づいて並べ替える並べ替え部をさらに備え、前記表示部が、前記並べ替え部が並べ替えた２以上のタイトルを表示してもよい。
【００１４】
このように構成された本発明によれば、例えば、ユーザに人気のある順番に表示されたタイトルから所望のタイトルを選択することができ、タイトルを容易に選択することができる。
【００１５】
また、本発明による録画予約装置では、前記選択受付部がいずれのタイトルの選択を受け付けたのかを示す情報である選択情報を、前記タイトルサーバ装置に送信する選択送信部をさらに備えてもよい。
【００１６】
このように構成された本発明によれば、タイトルサーバ装置において送信された選択情報に基づいて、タイトルに対応付けられているポイントが管理されることにより、ユーザがそのポイントを用いたサービスを享受することができる。
【００１７】
また、本発明による録画予約装置では、前記タイトル受信部が、ポイントの対応付けられた２以上のタイトルを受信するものであり、前記タイトル受信部が受信した２以上のタイトルから、前記ポイントに基づいて１つのタイトルを選択するタイトル選択部をさらに備え、前記録画予約部が、前記タイトル選択部が選択したタイトルに対応付けて、前記録画予約情報に基づいた録画予約を行ってもよい。
【００１８】
このように構成された本発明によれば、複数のタイトルが受信された場合にも、ユーザが選択を行うことなく、自動的に１つのタイトルを選択することができる。また、その選択をポイントに基づいて行うことで、より適切であると考えられるタイトルを選択することができる。
【００１９】
また、本発明によるタイトルサーバ装置は、放送番組のタイトルと、当該放送番組を識別する番組識別情報とを対応付けて有している情報であるタイトル情報を記憶している記憶部と、前記番組識別情報を受信する識別情報受信部と、前記識別情報受信部が受信した番組識別情報に対応するタイトルを前記記憶部から取得する取得部と、前記取得部が取得したタイトルを送信するタイトル送信部と、を備えたものである。
【００２０】
このように構成された本発明によれば、所定の放送番組に対応したタイトルを送信することができる。その結果、そのタイトルを受信したユーザは、タイトルを入力することなくそのタイトルに対応付けた録画予約等を行うことができうる。
【００２１】
また、本発明によるタイトルサーバ装置では、タイトルを受信するタイトル受信部と、前記タイトル受信部が受信したタイトルを、当該タイトルに対応した番組識別情報に対応付けて前記記憶部に蓄積するタイトル蓄積部と、をさらに備えてもよい。
【００２２】
このように構成された本発明によれば、ユーザからアップロードされたタイトルを蓄積することにより、タイトルサーバ装置が記憶しているタイトルの量を増やすことができ、ユーザからのタイトルの要求に対してより多く応えることができるようになる。
【００２３】
また、本発明によるタイトルサーバ装置によれば、前記タイトル受信部が、ユーザを識別するユーザ識別情報の対応付けられたタイトルを受信し、前記タイトル蓄積部が、前記ユーザ識別情報を、前記タイトル受信部が受信したタイトルに対応付けて前記記憶部に蓄積してもよい。
【００２４】
このように構成された本発明によれば、例えば、送信されたタイトルが他のユーザによって利用された場合にポイントを加算するような場合には、ユーザ識別情報を用いてユーザごとにポイントを集計することができる。その結果、例えば、集計されたポイントの高いユーザに対して褒賞を付与することなどにより、ユーザがタイトルをタイトルサーバ装置に送信することに対するインセンティブを与えることができる。
【００２５】
また、本発明によるタイトルサーバ装置では、前記タイトル情報が、１つの番組識別情報に２以上のタイトルを対応付けて有しており、前記取得部が、前記識別情報受信部が受信した番組識別情報に対応する２以上のタイトルを前記記憶部から取得してもよい。
【００２６】
このように構成された本発明によれば、例えば、ユーザに対して複数のタイトルを送信することにより、ユーザサイドにおける選択の幅を広げることができ、ユーザがより適切と思われるタイトルを選択することが可能となる。
【００２７】
また、本発明によるタイトルサーバ装置では、前記タイトル情報が有する各タイトルにはポイントが対応付けられており、前記タイトル送信部が送信した２以上のタイトルのうち、いずれのタイトルが選択されたかを示す選択情報を受信する選択受信部と、前記選択受信部が受信した選択情報に基づいて、前記ポイントを管理するポイント管理部と、をさらに備えてもよい。
【００２８】
このように構成された本発明によれば、ユーザによる選択に基づいてポイントを管理することで、そのポイントを用いたサービスを提供することができる。
【００２９】
また、本発明によるタイトルサーバ装置では、タイトルを、前記ポイントに基づいて並べ替える並べ替え部をさらに備え、前記タイトル送信部が、前記並べ替え部が並べ替えた２以上のタイトルを送信してもよい。
【００３０】
このように構成された本発明によれば、ポイントに基づいて並べ替えられたタイトルを送信することができ、ユーザがタイトルを選択するときのユーザの利便性を向上させることができる。
【００３１】
また、本発明によるタイトルサーバ装置では、前記取得部が取得した２以上のタイトルから、前記ポイントに基づいて１つのタイトルを選択するタイトル選択部をさらに備え、前記タイトル送信部が、前記タイトル選択部が選択した１つのタイトルを送信してもよい。
【００３２】
このように構成された本発明によれば、１つのタイトルを自動的に選択し、そのタイトルをユーザに送信することで、ユーザがタイトルの選択を行う必要がなくなる。また、ポイントに基づいて選択を行っているため、より適切なタイトルを選択することができうる。
【００３３】
また、本発明によるタイトルサーバ装置では、前記取得部が、前記識別情報受信部が受信した番組識別情報によって識別される放送番組が、グループ化された放送番組である場合には、当該グループ内の番組識別情報に対応するタイトルを取得してもよい。
【００３４】
このように構成された本発明によれば、まだタイトルが記憶されていない放送番組に対応するタイトルを取得することができる。また、グループ化された放送番組に対して、同一のタイトルを送信することが可能となりうる。
【発明の効果】
【００３５】
本発明による録画予約装置等によれば、録画予約時に容易に放送番組のタイトルを設定することが可能になる。
【発明を実施するための最良の形態】
【００３６】
（実施の形態１）
本発明の実施の形態１による録画予約システムについて、図面を参照しながら説明する。
【００３７】
図１は、本実施の形態による録画予約システムの構成を示すブロック図である。図１において、本実施の形態による録画予約システムは、有線または無線の通信回線２０を介して接続された、録画予約装置１０と、タイトルを管理しているタイトルサーバ装置３０とを備える。ここで、通信回線２０は、インターネットなどのグローバルな通信回線でもよく、ＬＡＮのような小規模な通信回線でもよく、あるいは、録画予約装置１０とタイトルサーバ装置３０とを接続するための単なるケーブルでもよい。
【００３８】
録画予約装置１０は、録画予約受付部１１と、識別情報送信部１２と、タイトル受信部１３と、表示部１４と、選択受付部１５と、タイトル受付部１６と、タイトル送信部１７と、録画予約部１８とを備える。
【００３９】
録画予約受付部１１は、録画予約情報を受け付ける。ここで、録画予約情報は、放送番組の録画予約の情報であり、録画予約に必要な情報を含んでいる。例えば、録画予約情報は、放送日時と放送チャンネル（あるいは、放送局を識別する情報）を含んでいてもよく、あるいは、録画予約のために用いられる制御コードでもよい。ここで、制御コードとは、例えば、１０桁以内の数字により、番組を放送する放送局を識別する情報と、番組の開始時刻と、番組の長さ（時間）とを示す情報のことである。放送局を識別する情報は、所定の対応表を用いることにより、その地域における放送チャンネルに変換される。録画予約受付部１１は、所定の入力デバイス（例えば、キーボードなど）から入力された録画予約情報を受け付けてもよく、有線もしくは無線の通信回線を介して送信された録画予約情報を受け付けてもよく、または、所定の記録媒体（例えば、ＣＤ−ＲＯＭなど）から読み出された録画予約情報を受け付けてもよい。
【００４０】
識別情報送信部１２は、録画予約受付部１１が受け付けた録画予約情報による録画予約の対象である放送番組を識別する番組識別情報と、録画予約装置１０を識別する装置識別情報とをタイトルサーバ装置３０に、通信回線２０を介して送信する。
【００４１】
タイトル受信部１３は、識別情報送信部１２が送信した番組識別情報に対して、タイトルサーバ装置３０から送信された放送番組のタイトルを、通信回線２０を介して受信する。なお、タイトルサーバ装置３０が番組識別情報に対応したタイトルを有しない場合には、その旨を受け取る。
【００４２】
表示部１４は、タイトル受信部１３が複数のタイトルを受信した場合や、タイトルのない旨を受信した場合などに、その複数のタイトルや、タイトルのない旨などを表示する。
なお、表示部１４は、それらの表示を行う表示デバイス（例えば、ＣＲＴや液晶ディスプレイなど）を含んでいてもよく、あるいは表示デバイスを駆動するドライバ等のソフトウェアであってもよい。
【００４３】
選択受付部１５は、表示部１４が複数のタイトルを表示した場合に、その表示した複数のタイトルに対して、いずれか１つのタイトルの選択を受け付ける。この受け付けは、例えば、所定の入力デバイスから入力された選択の受け付けでもよく、または、有線もしくは無線の通信により送信された選択の受け付けでもよい。
【００４４】
タイトル受付部１６は、録画予約受付部１１が受け付けた録画予約情報による録画予約の対象である放送番組のタイトルの入力を受け付ける。この受け付けは、例えば、所定の入力デバイスから入力された選択の受け付けでもよく、または、有線もしくは無線の通信により送信された選択の受け付けでもよい。
【００４５】
タイトル送信部１７は、タイトル受付部１６が受け付けたタイトルを、当該タイトルに対応する番組識別情報と共に、タイトルサーバ装置３０に送信する。
【００４６】
録画予約部１８は、タイトル受信部１３が受信したタイトルに対応付けて、録画予約受付部１１が受け付けた録画予約情報に基づいた録画予約を行う。ここで、録画予約とは、録画を行う機器に録画予約情報を送信することや、録画予約装置１０において録画予約情報を蓄積することなどを含む。録画予約装置１０で蓄積された録画予約情報は、蓄積後に録画を行う機器に送信されてもよく、あるいは、録画予約装置１０が録画を行う手段を有しており、その手段による録画時に用いられてもよい。なお、録画予約情報が送信、あるいは蓄積されるときには、タイトル受信部１３が受信したタイトルがその録画予約情報に対応付けられて送信、あるいは蓄積される。そして、そのタイトルを放送番組の表題として放送番組の録画が行われる。すなわち、例えば、録画された放送番組のデータのヘッダに、そのタイトルのデータを含めてもよく、あるいは、そのタイトルと録画した放送番組のデータとをリンク付けることによって、番組のタイトルがわかるようにしてもよい。
【００４７】
タイトルサーバ装置３０は、識別情報受信部３１と、記憶部３２と、取得部３３と、タイトル送信部３４と、タイトル受信部３５と、蓄積部３６とを備える。
【００４８】
識別情報受信部３１は、録画予約装置１０から送信された番組識別情報を、有線または無線の通信回線２０を介して受信する。なお、識別情報受信部３１は、番組識別情報と共に送信された録画予約装置１０を識別するための装置識別情報も受信する。
【００４９】
記憶部３２は、放送番組のタイトルと、その放送番組を識別する番組識別情報とを対応付けて有している情報であるタイトル情報を所定の記録媒体（例えば、光ディスクや磁気ディスク、半導体メモリなど）で記憶している。
【００５０】
取得部３３は、識別情報受信部３１が受信した番組識別情報をキーとして記憶部３２の有するタイトル情報を検索し、その番組識別情報に対応するタイトルを記憶部３２から取得する。
【００５１】
タイトル送信部３４は、取得部３３が取得したタイトルを、識別情報受信部３１が受信した装置識別情報で識別される録画予約装置１０に、通信回線２０を介して送信する。また、番組識別情報に対応するタイトルが記憶部３２で記憶されていない場合には、その旨と、識別情報受信部３１が受信した番組識別情報とを録画予約装置１０に送信する。
【００５２】
なお、録画予約装置１０とタイトルサーバ装置３０が一対一で接続されているか、あるいは、一対一の接続が通信回線２０上において構築されている場合において、タイトルサーバ装置３０が録画予約装置１０を識別する必要がないときには、識別情報送信部１２は、装置識別情報を送信しなくてもよく、またタイトル送信部３４は、装置識別情報を用い
た送信を行わなくてもよい。
【００５３】
タイトル受信部３５は、録画予約装置１０から送信された、番組識別情報と、その番組識別情報に対応するタイトルとを受信する。
【００５４】
蓄積部３６は、タイトル受信部３５が受信した番組識別情報と、タイトルとを対応付けて記憶部３２に蓄積する。
【００５５】
次に、本実施の形態による録画予約システムの動作について説明する。
【００５６】
まず、録画予約装置１０の動作について、図２のフローチャートを用いて説明する。
【００５７】
（ステップＳ１０１）録画予約受付部１１は、録画予約情報を受け付けたかどうか判断する。そして、録画予約情報を受け付けた場合には、その録画予約情報を録画予約部１８に渡し、また、その録画予約情報の録画予約の対象である放送番組を識別する番組識別情報を識別情報送信部１２に渡してステップＳ１０２に進み、録画予約情報を受け付けていない場合には、受け付けるまでステップＳ１０１の処理を繰り返す。ここで、録画予約受付部１１が識別情報送信部１２に渡す番組識別情報は、例えば、録画予約情報に付随して入力されるものであってもよく、録画予約情報を用いて生成されるものであってもよく、あるいは、録画予約情報が制御コードなどである場合には、録画予約情報そのものであってもよい。
【００５８】
（ステップＳ１０２）識別情報送信部１２は、録画予約受付部１１から番組識別情報を受け取ると、その番組識別情報を、録画予約装置１０を識別する装置識別情報と共にタイトルサーバ装置３０に送信する。ここで、その装置識別情報は、例えば、識別情報送信部１２が図示しない記憶部で記憶しているものである。
【００５９】
（ステップＳ１０３）タイトル受信部１３は、ステップＳ１０２における番組識別情報の送信に対応したタイトル、あるいはタイトルのない旨をタイトルサーバ装置３０から受信したかどうか判断する。タイトル等を受信した場合には、ステップＳ１０４に進み、タイトル等を受信していない場合には、受信するまでステップＳ１０３の処理を繰り返す。
【００６０】
（ステップＳ１０４）タイトル受信部１３は、ステップＳ１０３において、タイトルを受信したのか、あるいはタイトルのない旨と番組識別情報とを受信したのかを判断する。そして、タイトルを受信した場合には、ステップＳ１０５に進み、タイトルのない旨と番組識別情報とを受信した場合には、タイトルのない旨を表示部１４に渡し、番組識別情報をタイトル送信部１７に渡してステップＳ１０８に進む。
【００６１】
（ステップＳ１０５）タイトル受信部１３は、複数のタイトルを受信したのかどうかを判断する。そして、複数のタイトルを受信した場合には、ステップＳ１０６に進み、１つのタイトルのみを受信した場合には、そのタイトルを録画予約部１８に渡してステップＳ１１１に進む。
【００６２】
（ステップＳ１０６）表示部１４は、タイトル受信部１３が受信した複数のタイトルと、その複数のタイトルからいずれか１つを選択する旨とを表示する。
【００６３】
（ステップＳ１０７）選択受付部１５は、表示部１４の表示に対して、いずれか１つのタイトルの選択を受け付けたかどうか判断する。そして、選択受付部１５が選択を受け付けた場合には、その選択されたタイトルを示す情報がタイトル受信部１３に渡される。そして、その選択されたタイトルがタイトル受信部１３から録画予約部１８に渡されてステップＳ１１１に進み、選択受付部１５が選択を受け付けていない場合には、選択を受け付けるまでステップＳ１０７の処理を繰り返す。
【００６４】
（ステップＳ１０８）表示部１４は、タイトルを入力する旨の表示を行う。
【００６５】
（ステップＳ１０９）タイトル受付部１６は、タイトルを受け付けたかどうか判断する
。そして、タイトルを受け付けた場合には、その受け付けたタイトルをタイトル送信部１７と録画予約部１８とに渡してステップＳ１１０に進み、タイトルを受け付けていない場合には、ステップＳ１０９の処理を繰り返す。
【００６６】
（ステップＳ１１０）タイトル送信部１７は、タイトル受付部１６から受け取ったタイトルを、タイトル受信部１３から受け取った番組識別情報と共にタイトルサーバ装置３０に送信する。
【００６７】
（ステップＳ１１１）録画予約部１８は、タイトル受信部１３、あるいはタイトル受付部１６から受け取ったタイトルに対応付けて、録画予約受付部１１から受け取った録画予約情報に基づいた録画予約を行う。すなわち、そのタイトルに対応付けて、録画予約情報の蓄積、あるいは送信を行う。そして、ステップＳ１０１に戻る。
【００６８】
次に、タイトルサーバ装置３０の動作について、図３のフローチャートを用いて説明する。
【００６９】
（ステップＳ２０１）識別情報受信部３１は、録画予約装置１０から番組識別情報と装置識別情報とを受信したかどうか判断する。そして、番組識別情報等を受信した場合には、その番組識別情報を取得部３３に渡してステップＳ２０２に進み、番組識別情報等を受信していない場合には、ステップＳ２０６に進む。
【００７０】
（ステップＳ２０２）取得部３３は、識別情報受信部３１から受け取った番組識別情報に対応するタイトルが記憶部３２にあるかどうか判断する。そして、そのタイトルが記憶部３２にある場合には、ステップＳ２０３に進み、ない場合には、ステップＳ２０４に進む。
【００７１】
（ステップＳ２０３）取得部３３は、識別情報受信部３１から受け取った番組識別情報に対応するタイトルを記憶部３２から取得する。
【００７２】
（ステップＳ２０４）タイトル送信部３４は、ステップＳ２０１で識別情報受信部３１が受信した装置識別情報によって識別される録画予約装置１０に、取得部３３が取得したタイトルを送信し、ステップＳ２０１に戻る。
【００７３】
（ステップＳ２０５）タイトル送信部３４は、ステップＳ２０１で識別情報受信部３１が受信した装置識別情報によって識別される録画予約装置１０に、タイトルがない旨と、識別情報受信部３１が受信した番組識別情報とを送信し、ステップＳ２０１に戻る。
【００７４】
（ステップＳ２０６）タイトル受信部３５は、録画予約装置１０からタイトルと番組識別情報とを受信したかどうか判断する。そして、タイトル等を受信した場合には、そのタイトル等を蓄積部３６に渡し、受信していない場合には、ステップＳ２０１に戻る。
【００７５】
（ステップＳ２０７）蓄積部３６は、タイトル受信部３５からタイトルと番組識別情報とを受け取ると、そのタイトルを、番組識別情報に対応付けて記憶部３２に蓄積する。
【００７６】
なお、図２及び図３のフローチャートにおいて、電源オフや処理終了の割り込みにより処理は終了する。
【００７７】
次に、本実施の形態による録画予約システムの動作について、具体例を用いて説明する。ここで、この具体例における録画予約システムは、図４で示されるように、録画予約装置１０と、タイトルサーバ装置３０と、番組録画装置４０とを有するものである。ここで、番組録画装置４０は、録画予約装置１０から送信された録画予約情報に基づいて、放送番組を録画する装置であり、例えば、ＨＤＤ（ハードディスクドライブ）レコーダやビデオテープレコーダなどである。また、録画予約装置１０は、図５で示される携帯電話であるとする。
【００７８】
まず、ユーザが携帯電話１０を操作することにより、録画予約を行うソフトウェア・プログラムを立ち上げると、表示部１４は液晶ディスプレイ５に、図６（ａ）で示される録画予約情報の入力画面を表示する。この表示において、ユーザが、日付として２００３年９月１日を入力し、放送番組の開始時刻として２１時０分、終了時刻として２２時０分を入力し、放送チャンネルとして４チャンネルを入力したとする。そして最後に、フォーカスを「ＯＫ」ボタンに移動させて選択ボタン６を押すと、それらの録画予約情報が録画予約受付部１１で受け付けられ（ステップＳ１０１）、その録画予約情報が録画予約部１８に渡されると共に、その録画予約情報から作成された番組識別情報「２００３０９０１２１０００４」を識別情報送信部１２に渡す。ここで、この番組識別情報は、はじめの８桁は録画対象となる番組の放送年月日、次の４桁は番組開始時刻、次の２桁は放送チャネルとなっている。
【００７９】
その番組識別情報「２００３０９０１２１０００４」は、携帯電話１０の装置識別情報である「０ｘｂｂｂ１２３」と共にタイトルサーバ装置３０に送信される（ステップＳ１０２）。
【００８０】
録画予約装置１０から送信された番組識別情報「２００３０９０１２１０００４」と、装置識別情報「０ｘｂｂｂ１２３」とは、識別情報受信部３１で受信され（ステップＳ２０１）、その番組識別情報「２００３０９０１２１０００４」は取得部３３に渡され、装置識別情報「０ｘｂｂｂ１２３」はタイトル送信部３４に渡される。
【００８１】
記憶部３２が図７で示されるタイトル情報を記憶しているとすると、取得部３３は、番組識別情報「２００３０９０１２１０００４」に対応するタイトルがあると判断し（ステップＳ２０２）、タイトル「□□主演のドラマ」、「ドラマ△△△」、「推理ドラマ」を取得し（ステップＳ２０３）、それらのタイトルをタイトル送信部３４に渡す。タイトル送信部３４は、それらのタイトルを識別情報受信部３１から受け取った装置識別情報「０ｘｂｂｂ１２３」で識別される携帯電話１０に送信する。
【００８２】
すると、それらのタイトルがタイトル受信部１３で受信され（ステップＳ１０３、Ｓ１０４）、複数のタイトルであると判断されて（ステップＳ１０５）、タイトル受信部１３の有する図示しない記憶手段において、図８で示すようにＩＮＤＥＸに対応付けて記憶される。また、ＩＮＤＥＸに対応付けられたそれらのタイトルが表示部１４に渡される。
【００８３】
表示部１４は、図６（ｂ）で示すように複数のタイトルと、タイトルを選択する旨とを表示する（ステップＳ１０６）。この表示に対して、ユーザがボタン「２」を押し、タイトル「ドラマ△△△」を選択すると、その選択が選択受付部１５で受け付けられ（ステップＳ１０７）、選択受付部１５は、受け付けた数字である「２」をタイトル受信部１３に渡す。すると、タイトル受信部１３は、ＩＮＤＥＸ＝２に対応するタイトル「ドラマ△△△」が選択されたと判断し、そのタイトル「ドラマ△△△」を録画予約部１８に渡す。その結果、録画予約部１８は、タイトル「ドラマ△△△」と、２００３年９月１日の２１時から２２時まで４チャンネルの番組を録画する旨の録画予約情報とを番組録画装置４０に送信し、液晶ディスプレイ５に図６（ｃ）の表示がなされる（ステップＳ１１１）。そのタイトルと録画予約情報とは番組録画装置４０で記憶され、録画予約情報で示される番組が録画される。また、その録画時には、その録画される放送番組のタイトルとして、「ドラマ△△△」が設定される。
【００８４】
次に、録画予約情報に対応したタイトルが１つだけタイトルサーバ装置３０で記憶されている場合について説明する。
【００８５】
上記の説明と同様にして、録画予約装置１０から番組識別情報「２００３０９０６２１００１０」がタイトルサーバ装置３０に送信されたとする（ステップＳ１０２）。すると
、その番組識別情報が識別情報受信部３１で受信される（ステップＳ２０１）。記憶部３２が図７で示されるタイトル情報を記憶しているとすると、その番組識別情報に対応するタイトル「映画○○××」が取得され（ステップＳ２０２、Ｓ２０３）、そのタイトルが録画予約装置１０に送信される（ステップＳ２０４）。
【００８６】
タイトルサーバ装置３０から送信されたタイトル「映画○○××」は、タイトル受信部１３で受信され（ステップＳ１０３、Ｓ１０４）、複数のタイトルでないと判断され、タイトル受信部１３から録画予約部１８に渡される（ステップＳ１０５）。その結果、そのタイトル「映画○○××」に対応付けて、録画予約情報が番組録画装置４０に送信される（ステップＳ１１１）。
【００８７】
次に、録画予約情報に対応したタイトルがタイトルサーバ装置３０になかった場合について説明する。
【００８８】
ユーザが、図６（ａ）で示される録画予約情報の入力画面において、日付として２００３年９月２日を入力し、開始時刻として２１時０分、終了時刻として２２時０分を入力し、放送チャンネルとして６チャンネルを入力して、最後にフォーカスを「ＯＫ」ボタンに移動させて選択ボタン６を押したとする。すると、それらの録画予約情報が録画予約受付部１１で受け付けられ（ステップＳ１０１）、その録画予約情報が録画予約部１８に渡されると共に、その録画予約情報から作成された番組識別情報「２００３０９０２２１０００６」と、装置識別情報「０ｘｂｂｂ１２３」とがタイトルサーバ装置３０に送信される（ステップＳ１０２）。
【００８９】
その送信された番組識別情報「２００３０９０２２１０００６」等は識別情報受信部３１で受信される（ステップＳ２０１）。ここで、番組識別情報「２００３０９０２２１０００６」に対応するタイトルが記憶部３２で記憶されていないとすると、取得部３３は、番組識別情報「２００３０９０２２１０００６」に対応するタイトルがないと判断し（ステップＳ２０２）、その旨と、その番組識別情報「２００３０９０２２１０００６」とをタイトル送信部３４に渡す。タイトル送信部３４は、タイトルのない旨と、番組識別情報「２００３０９０２２１０００６」とを識別情報受信部３１から受け取った装置識別情報「０ｘｂｂｂ１２３」で識別される携帯電話１０に送信する。
【００９０】
すると、タイトルがなかった旨と番組識別情報とがタイトル受信部１３で受信され、番組識別情報に対応するタイトルがなかったと判断される（ステップＳ１０３、Ｓ１０４）。そして、図６（ｄ）で示されるタイトルを受け付ける旨の表示が液晶ディスプレイ５になされる。この表示に対して、ユーザが放送番組のタイトルとして「プロ野球ニュース」を入力し、「ＯＫ」ボタンにフォーカスを移動させて選択ボタン６を押すと、タイトル受付部１６でタイトル「プロ野球ニュース」が受け付けられ（ステップＳ１０９）、そのタイトルが、タイトル受信部１３で受信された番組識別情報「２００３０９０２２１０００６」と共にタイトルサーバ装置３０に送信される（ステップＳ１１０）。また、そのタイトル「プロ野球ニュース」に対応付けられて、録画予約情報が番組録画装置４０に送信される（ステップＳ１１１）。
【００９１】
タイトル送信部１７から送信されたタイトル「プロ野球ニュース」と番組識別情報「２００３０９０２２１０００６」は、タイトル受信部３５で受信される。そして、蓄積部３６は、タイトル「プロ野球ニュース」を、番組識別情報「２００３０９０２２１０００６」に対応付けて記憶部３２に蓄積する。
【００９２】
なお、上記具体例では、録画予約情報として録画日時や放送チャンネルなどを具体的に入力する場合について説明したが、ＥＰＧ（Ｅｌｅｃｔｒｏｎｉｃ  Ｐｒｏｇｒａｍ  Ｇｕｉｄｅ：電子番組ガイド）などを用いて、録画予約情報の入力を行ってもよい。例えば
、録画予約装置１０がＰＣ（Ｐｅｒｓｏｎａｌ  Ｃｏｍｐｕｔｅｒ）であり、そのディスプレイに図９で示すようにＥＰＧが表示されたとする。そして、ユーザが４チャンネルの「ドラマ」をマウスでクリックすると、その番組に関する録画予約情報が録画予約受付部１１で受け付けられる。このようにして、録画予約情報が入力され、上記の説明と同様にタイトルの取得等が行われてもよい。ここで、ＥＰＧには、一般的に放送番組のタイトルが含まれるため、そのタイトルに対応付けて録画予約を行ってもよいが、ＥＰＧのタイトルを利用することについて、ＥＰＧ提供者が所定の権利を有している場合や、ＥＰＧのタイトルの利用について所定の課金が行われる場合には、本実施の形態のようにタイトルサーバ装置３０から送信されたタイトルを受信することにより、ＥＰＧ提供者からの課金等を受けることなく、録画番組に対してタイトルをつけることができる。
【００９３】
以上のように、本実施の形態による録画予約システムによれば、録画予約装置１０が、番組識別情報をタイトルサーバ装置３０に送信する識別情報送信部１２と、タイトルサーバ装置３０から送信されたタイトルを受信するタイトル受信部１３と、タイトル受信部１３が受信したタイトルに対応付けて、録画予約情報の送信等を行う録画予約部１１とを備え、タイトルサーバ装置３０が、タイトル情報を記憶している記憶部３２と、番組識別情報を受信する識別情報受信部３１と、識別情報受信部３１が受信した番組識別情報に対応するタイトルを記憶部３２から取得する取得部３３と、取得部３３が取得したタイトルを送信するタイトル送信部３４とを備えたことで、録画予約装置１０によって録画予約を行うユーザは、録画予約の対象である放送番組のタイトルをタイトルサーバ装置３０から受け取ることができ、そのタイトルに対応付けて録画予約を行うことで、録画番組に対して、タイトルをつけることができる。
【００９４】
また、複数のタイトルがタイトルサーバ装置３０から送信された場合には、選択受付部１５によりユーザ所望のタイトルを選択することができ、その選択したタイトルに対応付けて録画予約を行うことができる。
【００９５】
さらに、録画予約の対象である放送番組に対応したタイトルがタイトルサーバ装置３０において記憶されていない場合には、ユーザが所望のタイトルを入力することにより、放送番組にタイトルをつけることとなる。そして、その入力されたタイトルをタイトルサーバ装置３０にアップロードすることで、その後に、同一の放送番組を録画予約するユーザは、そのアップロードされたタイトルを用いることができる。
【００９６】
（実施の形態２）
本発明の実施の形態２による録画予約システムについて、図面を参照しながら説明する。本実施の形態による録画予約システムは、録画予約装置において、タイトルに対応付けられたポイントに基づいてタイトルを並べ替えるものである。
【００９７】
図１０は、本実施の形態による録画予約システムの構成を示すブロック図である。図１０において、本実施の形態による録画予約システムは、有線または無線の通信回線２０を介して接続された録画予約装置５０と、タイトルサーバ装置６０とを備える。
【００９８】
録画予約装置５０は、録画予約受付部１１と、識別情報送信部１２と、タイトル受信部１３と、表示部１４と、選択受付部５１と、タイトル受付部１６と、タイトル送信部１７と、録画予約部１８と、選択送信部５２と、並べ替え部５３とを備える。なお、選択受付部５１、選択送信部５２、及び並べ替え部５３以外の構成及び動作は、タイトル受信部１３がポイントの対応付けられたタイトルを受信する以外、実施の形態１と同様であり、その説明を省略する。
【００９９】
選択受付部５１は、実施の形態１による選択受付部１５と同様に、表示部１４が表示し
た複数のタイトルに対して、いずれか１つのタイトルの選択を受け付けると共に、その選択されたタイトルを示す情報を選択送信部５２に渡す。
【０１００】
選択送信部５２は、選択されたタイトルを示す情報を選択受付部５１から受け取ると、選択受付部５１がいずれのタイトルの選択を受け付けたのかを示す情報である選択情報を、タイトルサーバ装置６０に送信する。
【０１０１】
並べ替え部５３は、タイトル受信部１３が受信したタイトルを、そのタイトルに対応付けられているポイントに基づいて並べ替え、その並べ替えた後のタイトルを表示部１４に渡す。
【０１０２】
タイトルサーバ装置６０は、識別情報受信部３１と、記憶部６１と、取得部３３と、タイトル送信部３４と、タイトル受信部３５と、蓄積部３６と、選択受信部６２と、ポイント管理部６３とを備える。なお、記憶部６１、選択受信部６２、及びポイント管理部６３以外の構成及び動作は、取得部３３が取得したタイトル、及びタイトル送信部３４が送信するタイトルにポイントが対応付けられている以外は、実施の形態１と同様であり、その説明を省略する。
【０１０３】
記憶部６１は、実施の形態１による記憶部１２と同様にタイトル情報を記憶しているが、その記憶しているタイトル情報の各タイトルにはポイントが対応付けられている。
【０１０４】
選択受信部６２は、録画予約装置５０の選択送信部５２から送信された選択情報を受信し、その受信した選択情報をポイント管理部６３に渡す。
【０１０５】
ポイント管理部６３は、選択受信部６２から受け取った選択情報に基づいて、記憶部６１が記憶しているタイトル情報におけるポイントを管理する。ここで、ポイントの管理とは、ポイントの値を増減させることである。
【０１０６】
次に、本実施の形態による録画予約装置５０の動作について、図１１のフローチャートを用いて説明する。なお、図１１のフローチャートにおいて、ステップＳ３０１〜Ｓ３０４以外の処理は、タイトルにポイントが対応付けられており、タイトル受信部１３が受信した複数のタイトルを並べ替え部５３に渡す以外、実施の形態１と同様であり、その説明を省略する。
【０１０７】
（ステップＳ３０１）並べ替え部５３は、タイトル受信部１３が受信した複数のタイトルをポイントに基づいて並べ替え、並べ替えたタイトルを表示部１４に渡す。この並べ替えは、例えば、ポイントの降順に並べ替える（ポイントの高いタイトルから順に並べる）ことでもよく、あるいはポイントの昇順に並べ替える（ポイントの低いタイトルから順に並べる）ことでもよい。
【０１０８】
（ステップＳ３０２）表示部１４は、並べ替え部５３が並べ替えた複数のタイトルと、その複数のタイトルからいずれか１つを選択する旨とを表示する。
【０１０９】
（ステップＳ３０３）選択受付部５１は、表示部１４の表示に対して、いずれか１つのタイトルの選択を受け付けたかどうか判断する。そして、選択を受け付けた場合には、その選択されたタイトルを示す情報を選択送信部５２とタイトル受信部１３とに渡す。タイトル受信部１３は、その選択されたタイトルを示す情報に基づいて、選択されたタイトルを録画予約部１８に渡してステップＳ３０４に進む。一方、選択受付部５１が選択を受け付けていない場合には、ステップＳ３０３の処理を繰り返す。なお、選択送信部５２に渡される、選択されたタイトルを示す情報と、タイトル受信部１３に渡される、選択されたタイトルを示す情報とは同一のものであってもよく、その内容が異なっていてもよい。
【０１１０】
（ステップＳ３０４）選択送信部５２は、選択受付部５１から受け取った、選択されたタイトルを示す情報に基づいて、選択情報をタイトルサーバ装置６０に送信する。
【０１１１】
次に、本実施の形態によるタイトルサーバ装置６０の動作について、図１２のフローチャートを用いて説明する。なお、図１２のフローチャートにおいて、ステップＳ４０１、Ｓ４０２以外の処理は、取得部３３の取得したタイトルやタイトル送信部３４が送信するタイトルにポイントが対応付けられており、蓄積部３６がタイトルを蓄積するときに、そのタイトルにポイントの初期値（例えば、０や１でもよく、あるいはそれら以外の所定の値でもよい）を対応付けて蓄積する以外、実施の形態１と同様であり、その説明を省略する。
【０１１２】
（ステップＳ４０１）選択受信部６２は、選択情報を受信したかどうか判断する。そして、選択情報を受信した場合には、その選択情報をポイント管理部６３に渡してステップＳ４０２に進み、選択情報を受信していない場合には、ステップＳ２０１に戻る。
【０１１３】
（ステップＳ４０２）ポイント管理部６３は、選択情報を選択受信部６２から受け取ると、その選択情報に基づいて、記憶部６１で記憶されているタイトル情報のポイントを管理する。
【０１１４】
なお、図１１、及び図１２のフローチャートにおいて、電源オフや処理終了の割り込みにより処理は終了する。
【０１１５】
次に、本実施の形態による録画予約システムの動作について、具体例を用いて説明する。ここで、この具体例における録画予約システムは、実施の形態１における図４と同様に、録画予約装置５０と、タイトルサーバ装置６０と、番組録画装置４０とから構成されるものとし、録画予約装置５０は、実施の形態１における図５と同様に携帯電話であるとする。
【０１１６】
ユーザが携帯電話５０を操作することにより、録画予約情報を入力し、それに応じて番組識別情報「２００３０９０１２１０００４」と、装置識別情報「０ｘｂｂｂ１２３」とがタイトルサーバ装置６０に送信され、その番組識別情報が取得部３３に渡され、装置識別情報がタイトル送信部３４に渡される動作は、実施の形態１と同様であるとする。
【０１１７】
記憶部６１が図１３で示されるタイトル情報を記憶しているとすると、取得部３３は、受け取った番組識別情報に対応するタイトルとして、タイトル「□□主演のドラマ」、「ドラマ△△△」、「推理ドラマ」を各タイトルに対応付けられたポイントと共に取得し（ステップＳ２０２、Ｓ２０３）、それらのタイトルとポイントとの組をタイトル送信部３４に渡す。タイトル送信部３４は、それらのタイトルとポイントとの組を識別情報受信部３１から受け取った装置識別情報「０ｘｂｂｂ１２３」で識別される携帯電話５０に送信する。
【０１１８】
すると、それらのタイトルとポイントとの組がタイトル受信部１３で受信され（ステップＳ１０３〜Ｓ１０５）、タイトル受信部１３の有する図示しない記憶手段において、図８で示すようにＩＮＤＥＸに対応付けて記憶される。また、ＩＮＤＥＸに対応付けられたタイトルと、そのタイトルに対応するポイントとが並べ替え部５３に渡される。
【０１１９】
並べ替え部５３は、その受け取ったタイトルを、そのタイトルに対応するポイントの降順に並べ替える（ステップＳ３０１）。すなわち、並べ替えられたタイトルは、「ドラマ△△△」、「□□主演のドラマ」、「推理ドラマ」の順となる。並べ替え部５３は、その並べ替えたタイトルを表示部１４に渡すと共に、どのように並べ替えたのかを示す情報として、「ドラマ△△△」と「□□主演のドラマ」を入れ替えた旨をタイトル受信部１３に
渡す。すると、タイトル受信部１３は、図示しない記憶手段で記憶しているタイトルの順序を入れ替える。その結果、ＩＮＤＥＸとタイトルとの関係は図１４で示すようになる。
【０１２０】
表示部１４は、図１５で示すように複数のタイトルと、タイトルを選択する旨とを表示する（ステップＳ３０２）。この表示では、ユーザに人気のあったタイトルから順番に、一番上から並べられることになる。この表示に対して、ユーザがボタン「１」を押し、タイトル「ドラマ△△△」を選択すると、その選択が選択受付部５１で受け付けられ（ステップＳ３０３）、選択受付部５１は、受け付けた数字である「１」をタイトル受信部１３に渡す。すると、タイトル受信部１３は、ＩＮＤＥＸ＝１に対応するタイトル「ドラマ△△△」が選択されたと判断し、そのタイトル「ドラマ△△△」を選択受付部５１と、録画予約部１８に渡す。
【０１２１】
選択受付部５１は、タイトル「ドラマ△△△」をタイトル受信部１３から受け取ると、そのタイトルを選択送信部５２に渡す。そして、選択送信部５２は、そのタイトル「ドラマ△△△」を選択情報としてタイトルサーバ装置６２に送信する（ステップＳ３０４）。すると、その選択情報が選択受信部６２で受信され（ステップＳ４０１）、ポイント管理部６３に渡される。ポイント管理部６３は、その選択情報を受け取ると、タイトル「ドラマ△△△」に対応するポイントを１だけインクリメントする（ステップＳ４０２）。その結果、タイトル「ドラマ△△△」に対応するポイントは、「８８」になる。
【０１２２】
なお、録画予約部１８がタイトル受信部１３から受け取ったタイトルと、録画予約情報とを番組録画装置４０に送信して録画予約が行われる動作は、実施の形態１における具体例と同様であり、その説明を省略する。
【０１２３】
以上のように、本実施の形態による録画予約システムによれば、タイトルサーバ装置６０で記憶されているタイトルには、録画予約装置５０で選択された回数を示すポイントが対応付けられており、そのポイントに基づいて、タイトル受信部１３が受信した複数のタイトルを並べ替える並べ替え部５３をさらに備えたことで、人気のある順にタイトルを表示することができる。その結果、ユーザは、多くの人に選択されており、放送番組に対して適していると考えられるタイトルから順番にタイトルを見ることができ、適切なタイトルを効率的に選択することができ、タイトルの選択をより容易なものにすることができる。
【０１２４】
また、選択情報を送信する選択送信部５２と、その選択情報を受信する選択受信部６２と、受信された選択情報に基づいてポイントを管理するポイント管理部６３とを備えたことで、ユーザに人気のあるタイトル、すなわちより多くのユーザに選択されたタイトルをポイントにより指標化することができる。
【０１２５】
さらに、例えば、タイトル送信部１７がタイトルをタイトルサーバ装置６０に送信するときに、ユーザ識別情報に対応付けて送信し、タイトル受信部３５がそのユーザ識別情報の対応付けられたタイトルを受信し、蓄積部３６がタイトルを蓄積するときに、ユーザ識別情報をタイトルに対応付けて蓄積してもよい。このような場合、すなわち記憶部６１がタイトルに対応付けてユーザ識別情報を記憶している場合において、所定のユーザがアップロードしたタイトルが多くのユーザに選択され、人気のあることがわかったときには、そのユーザに対して所定の褒賞を付与する（例えば、インターネットでのショッピングにおいて金銭と同様に用いることができる所定のポイントを付与するなど）ことにより、タイトルをタイトルサーバ装置６０にアップロードすることに対してインセンティブを与えることもできる。具体的には、図１６で示すように、記憶部６１がポイントに対応付けられたユーザ識別情報を記憶している場合には、このユーザ識別情報によって各ユーザのポイントを集計して所定の褒賞等を付与することになる。例えば、ユーザ識別情報「１０２
」によりポイントを集計し、その集計結果のポイントが他のユーザ識別情報に対応するポイントの集計結果の中で一番高かった場合には、そのユーザ識別情報「１０２」で識別されるユーザに、ショッピングで利用できるポイントを付与してもよい。
【０１２６】
なお、本実施の形態では、タイトルが選択されることによりポイントがインクリメントされる場合について説明したが、ポイントによってタイトルの選択回数の傾向がわかればよいため、例えば、あらかじめ所定のポイントを各タイトルに付与しておき、タイトルが選択されなかったことによりポイントをインクリメント、あるいはデクリメントするようにしてもよい。ここで、そのようなポイントの管理の方法に応じて、並べ替え部５３における、ポイントに基づいたタイトルを並べ替える方法も異なったものとなることはいうまでもない。
【０１２７】
（実施の形態３）
本発明の実施の形態３による録画予約システムについて、図面を参照しながら説明する。本実施の形態による録画予約システムは、録画予約装置において、タイトルに対応付けられたポイントに基づいてタイトルの選択を行うものである。
【０１２８】
図１７は、本実施の形態による録画予約システムの構成を示すブロック図である。図１７において、本実施の形態による録画予約システムは、有線または無線の通信回線２０を介して接続された録画予約装置７０と、タイトルサーバ装置６０とを備える。なお、タイトルサーバ装置６０は実施の形態２と同様のものであり、その説明を省略する。
【０１２９】
録画予約装置７０は、録画予約受付部１１と、識別情報送信部１２と、タイトル受信部１３と、表示部１４と、選択受付部５１と、タイトル受付部１６と、タイトル送信部１７と、録画予約部１８と、選択送信部５２と、タイトル選択部７１とを備える。なお、タイトル選択部７１以外の構成及び動作は、実施の形態２と同様であり、その説明を省略する。
【０１３０】
タイトル選択部７１は、タイトル受信部１３から受け取った複数のタイトルに対応付けられたポイントが所定の関係を充たしている場合に、タイトルに対応付けられているポイントに基づいて１つのタイトルを選択し、その選択したタイトルを録画予約部１８に渡す。一方、タイトル受信部１３から受け取った複数のタイトルが所定の関係を充たしていない場合には、それらのタイトルを表示部１４に渡す。
【０１３１】
次に、本実施の形態による録画予約装置の動作について、図１８のフローチャートを用いて説明する。なお、図１８のフローチャートにおいて、ステップＳ５０１、Ｓ５０２以外の処理は、表示部１４がタイトル選択部７１から受け取ったタイトルを表示し、録画予約部１８がタイトル選択部７１から受け取ったタイトルに対応付けて録画予約を行う以外、実施の形態２と同様であり、その説明を省略する。
【０１３２】
（ステップＳ５０１）タイトル選択部７１は、タイトル受信部１３から受け取ったタイトルに対応するポイントが、所定の関係を充たすかどうか判断する。そして、所定の関係を充たす場合には、ステップＳ５０２に進み、所定の関係を充たさない場合には、タイトル受信部１３から受け取ったタイトルのみを表示部１４に渡してステップＳ３０２に進む。ここで、所定の関係とは、例えば、タイトルに対応するポイントの合計が一定のしきい値（例えば、１００など）を超えていることや、あるいは、一つのタイトルに対応付けられたポイントが、他のタイトルに対応付けられたいずれのポイントに対しても２倍以上の値であることなどである。
【０１３３】
このように、所定の関係を充たしているかどうかの判断は、タイトルに対応付けられた
ポイントの状態が、タイトル選択部７１による選択にふさわしいものであるかどうか判断するためになされるものである。例えば、ポイントの合計があまり多くない場合には、統計的に見れば母集団が少ないこととなり、そのポイントに基づいた選択の信頼性は低くなる（すなわち、適切なタイトルを選択したのかどうか疑わしいこととなる）。また、各ポイントの値が拮抗しているような場合に、わずかな差により所定のタイトルを選択することも、その選択の信頼性を低下させることとなる。したがって、そのような場合を避けて、タイトル選択部７１はポイントに基づいたタイトルの選択を行う必要がある。なお、この所定の関係は、装置の設計者、あるいはユーザが自由に設定できるものとする。
【０１３４】
（ステップＳ５０２）タイトル選択部７１は、ポイントに基づいて、タイトル受信部１３から受け取った複数のタイトルからいずれか１つのタイトルを選択し、その選択したタイトルを録画予約部１８に渡す。
【０１３５】
なお、図１８のフローチャートにおいて、電源オフや処理終了の割り込みにより処理は終了する。また、タイトルサーバ装置６０の動作は、実施の形態２における図１２のフローチャートで示されるものと同様であり、その説明を省略する。
【０１３６】
次に、本実施の形態による録画予約システムの動作について、具体例を用いて説明する。ここで、この具体例における録画予約システムは、実施の形態１における図４と同様に、録画予約装置７０と、タイトルサーバ装置６０と、番組録画装置４０とから構成されるものとし、録画予約装置７０は、実施の形態１における図５と同様に携帯電話であるとする。
【０１３７】
ユーザが携帯電話５０を操作することにより、録画予約情報を入力し、それに応じて番組識別情報「２００３０９０１２１０００４」と、装置識別情報「０ｘｂｂｂ１２３」とがタイトルサーバ装置６０に送信され、その番組識別情報に対応するタイトルとして、タイトル「□□主演のドラマ」、「ドラマ△△△」、「推理ドラマ」が各タイトルに対応するポイントと共に、録画予約装置７０に送信される動作は、実施の形態１及び実施の形態２と同様であるとする。なお、記憶部６１で記憶されているタイトル情報は、図１３で示されるものであるとする。
【０１３８】
タイトル受信部１３がそれらのタイトルとポイントとを受信すると（ステップＳ１０３〜Ｓ１０５）、そのタイトルとポイントとを図示しない記憶手段でＩＮＤＥＸに対応付けて記憶すると共に、それらをタイトル選択部７１に渡す。タイトル選択部７１は、それらを受け取ると、それらのタイトルに対応付けられているポイントの合計が「１００」を超えるかどうか判断する（ステップＳ５０１）。この場合には、タイトル「□□主演のドラマ」、「ドラマ△△△」、「推理ドラマ」に対応付けられたポイントの合計は「１５９」であり、「１００」以上であるため、ポイントが所定の関係を充たしていると判断される。その結果、タイトル選択部７１は、それらのタイトルのうち、一番ポイントの高いタイトル「ドラマ△△△」を選択して録画予約部１８に渡す（ステップＳ５０２）。そして、そのタイトル「ドラマ△△△」に対応付けて録画予約情報が番組録画装置４０に送信される。
【０１３９】
一方、例えば、タイトル選択部７１が受け取ったタイトルに対応するポイントの合計が「１００」未満の場合には、ポイントが所定の関係を充たしていないとして、それらのタイトルを表示部１４に渡し、表示部１４はそれらのタイトルと、それらのタイトルからいずれか１つを選択する旨の表示を行う（ステップＳ３０２）。その後のタイトルの選択の受け付けや、選択情報の送信等の動作は、実施の形態２と同様であり、その説明を省略する。
【０１４０】
以上のように、本実施の形態による録画予約システムによれば、タイトル受信部１３が受信した複数のタイトルから、ポイントに基づいて１つのタイトルを選択するタイトル選択部７１を備えたことで、タイトル受信部１３が複数のタイトルを受信した場合であっても、ユーザが選択することなく、自動的に１つのタイトルを選択し、その選択したタイトルに対応付けて、録画予約を行うことができる。特に、それまでにユーザに人気の高かったタイトル、すなわち、ユーザに選択された頻度の高いタイトルをタイトル選択部７１が選択することで、自動的に選択しながら、より適切なタイトルを選択することができる。
【０１４１】
さらに、タイトル選択部７１が、タイトル受信部１３が受信したタイトルに対応付けられたポイントが所定の関係を充たしているかどうか確認し、充たしている場合にのみポイントに基づいた選択を行うことで、タイトルに対応付けられたポイントが、タイトル選択部７１による選択にふさわしい状況である場合にのみ選択を行うことになり、タイトル選択部７１による選択の信頼性を向上させることができる。
【０１４２】
（実施の形態４）
本発明の実施の形態４による録画予約システムについて、図面を参照しながら説明する。本実施の形態による録画予約システムは、ポイントに基づいたタイトルの並べ替えを、タイトルサーバ装置において行うものである。
【０１４３】
図１９は、本実施の形態による録画予約システムの構成を示すブロック図である。図１９において、本実施の形態による録画予約システムは、有線または無線の通信回線２０を介して接続された録画予約装置８０と、タイトルサーバ装置９０とを備える。
【０１４４】
録画予約装置８０は、録画予約受付部１１と、識別情報送信部１２と、タイトル受信部１３と、表示部１４と、選択受付部５１と、タイトル受付部１６と、タイトル送信部１７と、録画予約部１８と、選択送信部５２とを備える。なお、これらの構成及び動作は、実施の形態１、及び実施の形態２と同様であり、その説明を省略する。
【０１４５】
タイトルサーバ装置９０は、識別情報受信部３１と、記憶部６１と、取得部３３と、タイトル送信部３４と、タイトル受信部３５と、蓄積部３６と、選択受信部６２と、ポイント管理部６３と、並べ替え部９１とを備える。なお、並べ替え部９１以外の構成及び動作は、取得部３３が取得したタイトル、及びタイトル送信部３４が送信するタイトルにポイントが対応付けられている以外、実施の形態１、及び実施の形態２と同様であり、その説明を省略する。
【０１４６】
並べ替え部９１は、ポイントの対応付けられたタイトルを取得部３３から受け取り、そのポイントに基づいてタイトルを並べ替えてタイトル送信部３４に渡す。
【０１４７】
次に、本実施の形態による録画予約装置８０の動作について、図２０のフローチャートを用いて説明する。なお、図２０のフローチャートにおいて、ステップＳ６０１、Ｓ６０２以外の処理は、実施の形態１と同様であり、その説明を省略する。
【０１４８】
（ステップＳ６０１）選択受付部５１は、表示部１４の表示に対して、いずれか１つのタイトルの選択を受け付けたかどうか判断する。そして、受け付けた場合には、その選択されたタイトルを示す情報を選択送信部５２とタイトル受信部１３とに渡す。タイトル受信部１３は、その選択されたタイトルを示す情報を録画予約部１８に渡してステップＳ６０２に進む。一方、選択受付部５１が選択を受け付けていない場合には、ステップＳ６０１の処理を繰り返す。
【０１４９】
（ステップＳ６０２）選択送信部５２は、選択受付部５１から選択されたタイトルを示す情報を受け取ると、選択情報をタイトルサーバ装置６０に送信する。
【０１５０】
次に、本実施の形態によるタイトルサーバ装置９０の動作について、図２１のフローチャートを用いて説明する。なお、図２１のフローチャートにおいて、ステップＳ７０１、Ｓ７０２以外の処理は、複数のタイトルが取得された場合に、タイトル送信部３４が並べ替え部９１が並べ替えたタイトルを送信する以外、実施の形態２と同様であり、その説明を省略する。
【０１５１】
（ステップＳ７０１）取得部３３は、取得したタイトルが複数であるかどうか判断する。そして、複数のタイトルを取得した場合には、その複数のタイトルを並べ替え部９１に渡してステップＳ７０２に進み、１つのタイトルを取得した場合には、そのタイトルをタイトル送信部３４に渡してステップＳ２０４に進む。
【０１５２】
（ステップＳ７０２）並べ替え部９１は、ポイントの対応付けられた複数のタイトルを取得部３３から受け取ると、その複数のタイトルをポイントに基づいて並べ替え、タイトル送信部３４に渡す。この並べ替えは、例えば、ポイントの降順に並べ替える（ポイントの高いタイトルから順に並べる）ことでもよく、あるいはポイントの昇順に並べ替える（ポイントの低いタイトルから順に並べる）ことでもよい。
【０１５３】
なお、図２０、及び図２１のフローチャートにおいて、電源オフや処理終了の割り込みにより処理は終了する。
【０１５４】
次に、本実施の形態による録画予約システムの動作について、具体例を用いて説明する。ここで、この具体例における録画予約システムは、実施の形態１における図４と同様に、録画予約装置８０と、タイトルサーバ装置９０と、番組録画装置４０とから構成されるものとし、録画予約装置８０は、実施の形態１における図５と同様に携帯電話であるとする。
【０１５５】
ユーザが携帯電話８０を操作することにより、録画予約情報を入力し、それに応じて番組識別情報「２００３０９０１２１０００４」と、装置識別情報「０ｘｂｂｂ１２３」とがタイトルサーバ装置９０に送信され、その番組識別情報が取得部３３に渡され、装置識別情報がタイトル送信部３４に渡される動作は、実施の形態１と同様であるとする。
【０１５６】
記憶部６１が図１３で示されるタイトル情報を記憶しているとすると、取得部３３は、受け取った番組識別情報に対応するタイトルとして、タイトル「□□主演のドラマ」、「ドラマ△△△」、「推理ドラマ」を各タイトルに対応するポイントと共に取得し（ステップＳ２０２、Ｓ２０３）、複数のタイトルを取得したと判断して（ステップＳ７０１）、それらのタイトルとポイントとの組を並べ替え部９１に渡す。並べ替え部９１は、タイトルに対応したポイントの降順にタイトルを並べ替える（ステップＳ７０２）。すなわち、並べ替えられたタイトルは、「ドラマ△△△」、「□□主演のドラマ」、「推理ドラマ」の順となる。並べ替え部９１は、その並べ替えたタイトルをタイトル送信部３４に渡す。タイトル送信部３４は、並べ替え部９１から受け取ったタイトルを、識別情報受信部３１から受け取った装置識別情報「０ｘｂｂｂ１２３」で識別される携帯電話５０に送信する。
【０１５７】
その後の録画予約装置８０における動作は、実施の形態１、実施の形態２と同様であり、その説明を省略する。
【０１５８】
以上のように、本実施の形態による録画予約システムによれば、タイトルサーバ装置９０がポイントに基づいてタイトルを並べ替える並べ替え部９１を備えたことで、録画予約装置８０において、タイトルを並べ替えることなく適切な順序（例えば、人気のある順序）でタイトルを表示することができ、ユーザによるタイトルの選択を容易にすることができる。また、ポイントをタイトルサーバ装置９０から録画予約装置８０に送信しなくてよいため、通信回線２０におけるトラフィックを減少させることができる。
【０１５９】
なお、本実施の形態では、取得部３３が取得したタイトルを並べ替える場合について説明したが、それ以外のタイトルの並べ替えを行ってもよい。例えば、記憶部６１で記憶されているタイトルを、並べ替え部があらかじめポイントに基づいて並べ替えるようにしてもよい。ただし、その並べ替えは、１つの番組識別情報に対応付けられているタイトルの範囲内で行われる。その並べ替えを行うタイミングは、所定の期間ごと（例えば、毎日午前２時に行うなど）のタイミングでもよく、あるいは、所定のイベントの発生（例えば、蓄積部３６が新たなタイトルを蓄積したことなど）をトリガーとするタイミングでもよい。
【０１６０】
また、本実施の形態では、ポイントに基づいてタイトルを並べ替える並べ替え部９１を備えたタイトルサーバ装置９０について説明したが、実施の形態３におけるタイトル選択部７１と同様に、図２２で示すように、タイトルサーバ装置１００は、ポイントに基づいてタイトルを選択するタイトル選択部１０１を備えてもよい。このタイトル選択部１０１は、実施の形態３におけるタイトル選択部７１と同様に、タイトルに対応付けられたポイントが所定の関係を充たしている場合に、そのタイトルに基づいて１つのタイトルを選択する（例えば、ポイントの一番高いタイトルを選択する）。そして、その選択したタイトルがタイトル送信部３４によって録画予約装置８０に送信される。
【０１６１】
また、上記各実施の形態において、タイトルサーバ装置に送信された番組識別情報で識別される放送番組が、シリーズもののドラマのように、グループ化された放送番組である場合には、そのグループ内の番組識別情報に対応するタイトルを取得部３３が取得するようにしてもよい。具体的には、例えば、タイトル情報が図２３で示されるものであり、番組識別情報の左から３桁が同じ場合には、同一のシリーズであるとあらかじめ決められている場合に、識別情報受信部３１が番組識別情報「１２３８２５」を受信した場合には、それに対応する番組識別情報がタイトル情報になかったとしても、左から３桁が同一である番組識別情報「１２３１００」に対応するタイトル「ドラマ△△△」を取得部３３が取得し、タイトル送信部３４が録画予約装置１０に送信してもよい。このようにすることで、タイトル情報に含まれていない番組識別情報に対してもタイトルを取得することができる。また、シリーズもののドラマのようにグループ化されている番組に対しては、同一のタイトルを付すことができ、各番組のタイトルが異なってしまうことを避けることができる。ここで、グループ化された放送番組とは、例えば、シリーズ物の番組であってもよく、あるいは、その内容（例えば、プロ野球のニュースなど）によってグループ化されていてもよい。
【０１６２】
また、あらかじめグループ化された番組に対しては、グループ内で共通したタイトルを対応付けておき、取得部３３は、所定のグループの番組識別情報に対しては、その共通したタイトルを取得するようにしてもよい。例えば、記憶部が番組識別情報「１２３＊＊＊」に対応付けて「ドラマ△△△」を記憶している場合に、取得部３３がはじめの３桁が「１２３」である番組識別情報を受け取った場合には、その番組識別情報に対応するタイトルとして、「ドラマ△△△」を取得するようにしてもよい。
【０１６３】
また、上記各実施の形態では、タイトル受信部１３が受信したタイトルを録画予約部１８においてそのまま用いる場合について説明したが、タイトル受信部１３が受信したタイトルに対して、ユーザが追記を行い、その追記後のタイトルを録画予約部１８が用いてもよい。例えば、タイトル受信部１３が受信したタイトルが「ドラマ△△△」である場合に、ユーザが「ドラマ△△△（□□主演）」と追記を行ってもよい。
【０１６４】
また、上記各実施の形態において、タイトルサーバ装置において番組識別情報に対応したタイトルが記憶されていない場合に、録画予約装置においてタイトルの入力を要求する
と説明したが、番組識別情報に対応したタイトルが録画予約装置に送信されたとしても、そのタイトルをユーザが気に入らなかったような場合には、ユーザがタイトルを入力することができるようにしてもよい。また、その入力されたタイトルは、タイトルサーバ装置に送信されてもよい。
【０１６５】
また、上記各実施の形態では、タイトルサーバ装置に番組識別情報に対応したタイトルがない場合には、タイトル送信部３４が、タイトルがない旨と、番組識別情報とを録画予約装置に送信すると説明したが、タイトル送信部３４は、タイトルがない旨のみを録画予約装置に送信し、録画予約装置において、タイトル送信部１７が、識別情報送信部１２等から番組識別情報を受け取って、その番組識別情報に対応付けてタイトルを送信してもよい。さらに、タイトル送信部１７はタイトルのみを送信し、タイトルサーバ装置において、タイトル受信部３５が録画予約装置から受け取ったタイトルに対応する番組識別情報を識別情報受信部３１等から受け取るようにしてもよい。
【０１６６】
また、上記各実施の形態では、録画予約装置が携帯電話やＰＣである場合について説明したが、録画予約装置は、例えば、番組を受信して録画する番組録画機器であってもよく、番組録画機器に対してコマンドを送信するリモートコントロール端末（リモコン）であってもよく、あるいは、ホームサーバや、ＰＤＡ（Ｐｅｒｓｏｎａｌ  Ｄｉｇｉｔａｌ  Ａｓｓｉｓｔａｎｔ）などの情報処理装置等であってもよい。
【０１６７】
また、上記各実施の形態において、図４で示される構成の場合について説明したが、本発明の構成は図４に限定されるものではなく、例えば、録画予約装置が録画も行う場合には、録画予約部１８が録画予約情報を送信せずに録画予約装置において蓄積するだけであってもよい。
【０１６８】
また、上記各実施の形態では、説明の便宜上、タイトルサーバ装置と録画予約装置とが１対１で対応している図面を用いて説明したが、一般には、タイトルサーバ装置には複数の録画予約装置が対応している。したがって、タイトルサーバ装置は、複数の録画予約装置に対してタイトルを送信し、また複数の録画予約装置から送信されたタイトルや選択情報などを受信する。
【０１６９】
また、上記各実施の形態において、各構成要素は専用のハードウェアにより構成してもよく、あるいは、ソフトウェアにより実現可能な構成要素については、プログラム制御によるソフトウェアにより構成してもよい。ここで、上記各実施の形態における録画予約装置等を実現するソフトウェアは、以下のようなプログラムである。つまり、このプログラムは、コンピュータに、放送番組の録画予約の情報である録画予約情報を受け付ける録画予約受付ステップと、前記録画予約情報による録画予約の対象である放送番組を識別する番組識別情報を、放送番組のタイトルを管理しているタイトルサーバ装置に送信する識別情報送信ステップと、前記識別情報送信ステップで送信した番組識別情報に対して、前記タイトルサーバ装置から送信されたタイトルを受信するタイトル受信ステップと、前記タイトル受信ステップで受信したタイトルに対応付けて、前記録画予約情報に基づいた録画予約を行う録画予約ステップと、を実行させるためのものである。
【０１７０】
また、他のプログラムは、コンピュータに、番組識別情報を受信する識別情報受信ステップと、前記識別情報受信ステップで受信した番組識別情報に対応するタイトルを、放送番組のタイトルと、当該放送番組を識別する番組識別情報とを対応付けて有している情報であるタイトル情報を記憶している記憶部から取得する取得ステップと、前記取得ステップで取得したタイトルを送信するタイトル送信ステップと、を実行させるためのものである。
【０１７１】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【産業上の利用可能性】
【０１７２】
本発明による録画予約装置は、例えば、放送番組のタイトルに対応付けて録画予約を行う携帯電話や情報処理装置、番組録画装置（例えば、ＨＤＤレコーダ）等に用いることができ、本発明によるタイトルサーバ装置は、例えば、録画予約装置にタイトルを送信する情報処理装置等に用いることができる。
【図面の簡単な説明】
【０１７３】
【図１】本発明の実施の形態１による録画予約システムの構成を示すブロック図
【図２】同実施の形態による録画予約装置の動作を示すフローチャート
【図３】同実施の形態によるタイトルサーバ装置の動作を示すフローチャート
【図４】同実施の形態による録画予約システムの一例を示す図
【図５】同実施の形態による録画予約装置の外観を示す模式図
【図６】同実施の形態による録画予約装置の表示の一例を示す図
【図７】同実施の形態におけるタイトル情報の一例を示す図
【図８】同実施の形態による録画予約装置で受信されたタイトルの一例を示す図
【図９】同実施の形態による録画予約装置の表示の一例を示す図
【図１０】本発明の実施の形態２による録画予約システムの構成を示すブロック図
【図１１】同実施の形態による録画予約装置の動作を示すフローチャート
【図１２】同実施の形態によるタイトルサーバ装置の動作を示すフローチャート
【図１３】同実施の形態におけるタイトル情報の一例を示す図
【図１４】同実施の形態における並べ替えられたタイトルの一例を示す図
【図１５】同実施の形態による録画予約装置の表示の一例を示す図
【図１６】同実施の形態におけるタイトルに対応付けられたユーザ識別情報を示す図
【図１７】本発明の実施の形態３による録画予約システムの構成を示すブロック図
【図１８】同実施の形態による録画予約装置の動作を示すフローチャート
【図１９】本発明の実施の形態４による録画予約システムの構成を示すブロック図
【図２０】同実施の形態による録画予約装置の動作を示すフローチャート
【図２１】同実施の形態によるタイトルサーバ装置の動作を示すフローチャート
【図２２】同実施の形態による録画予約システムの他の構成を示すブロック図
【図２３】同実施の形態におけるタイトル情報の一例を示す図
【符号の説明】
【０１７４】
１０、５０、７０、８０  録画予約装置
１１  録画予約受付部
１２  識別情報送信部
１３  タイトル受信部
１４  表示部
１５、５１  選択受付部
１６  タイトル受付部
１７  タイトル送信部
１８  録画予約部
２０  通信回線
３０、６０、９０、１００  タイトルサーバ装置
３１  識別情報受信部
３２、６１  記憶部
３３  取得部
３４  タイトル送信部
３５  タイトル受信部
３６  蓄積部
４０  番組録画装置
５２  選択送信部
５３、９１  並べ替え部
６２  選択受信部
６３  ポイント管理部
７１、１０１  タイトル選択部
【図１】
2005094117.tif 000003
【図２】
2005094117.tif 000004
【図３】
2005094117.tif 000005
【図４】
2005094117.tif 000006
【図５】
2005094117.tif 000007
【図６】
2005094117.tif 000008
【図７】
2005094117.tif 000009
【図８】
2005094117.tif 000010
【図９】
2005094117.tif 000011
【図１０】
2005094117.tif 000012
【図１１】
2005094117.tif 000013
【図１２】
2005094117.tif 000014
【図１３】
2005094117.tif 000015
【図１４】
2005094117.tif 000016
【図１５】
2005094117.tif 000017
【図１６】
2005094117.tif 000018
【図１７】
2005094117.tif 000019
【図１８】
2005094117.tif 000020
【図１９】
2005094117.tif 000021
【図２０】
2005094117.tif 000022
【図２１】
2005094117.tif 000023
【図２２】
2005094117.tif 000024
【図２３】
2005094117.tif 000025